(57)【特許請求の範囲】
【請求項１】
装填されたディスクを載置するトレイと、前記ディスクを回転させる回転機構が搭載され前記トレイに結合手段を介して結合されるメカシャーシとを備え、前記結合手段が、前記トレイ及びメカシャーシの何れか一方に設けられたポストと、他方に設けられ、前記ポストよりも大きな線膨張係数を有する材料によって構成され、且つ前記ポストに嵌合するリング状のインシュレータとを備えるディスク装置において、
前記ポストが、ポストの周方向に離間して固定されそれぞれが側面から外方に向かって突出する複数の突起を備え、
前記突起が、前記インシュレータとほぼ同じ線膨張係数を有する材料によって構成されることを特徴とするディスク装置。
【請求項２】
前記インシュレータ及び前記突起の双方が、エラストマー又はゴム系の粘弾性体によって構成されることを特徴とする、請求項１に記載のディスク装置。
【請求項３】
前記ポストが、ポスト本体に形成された注入口と、一端が該注入口に連通し且つ他端がポスト側面に開口する空洞部とを備え、
前記突起が、前記注入口から空洞部に射出成形で注入された前記粘弾性体によって形成されていることを特徴とする、請求項２に記載のディスク装置。
【発明の詳細な説明】
【０００１】
【発明の属する技術分野】
本発明は、光ディスク記録・再生装置等のディスク装置に関し、特に、装填したディスクの回転時に発生する振動を抑制する制振構造を有するディスク装置に関する。
【０００２】
【従来の技術】
近年、ノート型パーソナルコンピュータ（以下、ノートパソコンと呼ぶ）等に搭載される光ディスク記録・再生装置では、更なる高速化、薄型化、及び小型化の要請が高まっている。図３は、このような光ディスク記録・再生装置を展開して示す斜視図である。光ディスク記録・再生装置１０は、メカシャーシ１１と、メカシャーシ１１を上下から挟み込むプロテクトカバー１２及びトレイ１３とを備えている。
【０００３】
メカシャーシ１１には、ディスク（図示せず）を回転させるスピンドルモータ１５を含む回転機構、及び、ＣＤ−Ｒ(CD Recordable)やＣＤ−ＲＷ(CD Rewritable)等の光ディスクに対し信号を記録又は再生する光ヘッド１６を含む記録・再生機構が搭載されている。メカシャーシ１１は、外縁部の３箇所に突出形成されたブラケット部１７を有し、各ブラケット部１７には夫々、中央開口１９ａを有するインシュレータ１９が取り付けられている。
【０００４】
トレイ１３は、ほぼ中央部分に形成された開口１３ａと、メカシャーシ１１の表面に対面した状態で各インシュレータ１９に嵌合する３個のポスト２０とを有する。プロテクトカバー１２は、メカシャーシ１１の裏面に対面した状態で、各インシュレータ１９に対向して島状に突出する３つの突出面２１を有する。各突出面２１には、固定ネジ２２を挿通する挿通孔２１ａが形成され、各ポスト２０には、固定ネジ２２が螺合されるネジ孔２０ａが形成されている。
【０００５】
メカシャーシ１１がトレイ１３及びプロテクトカバー１２によって挟み込まれた状態で、各インシュレータ１９の中央開口１９ａに嵌合されたポスト２０のネジ孔２０ａに、挿通孔２１ａから挿入された固定ネジ２２が螺合されることにより、回転機構の駆動時の振動を抑制する制振構造が構成されている。
【０００６】
光ディスク記録・再生装置１０では、スピンドルモータ１５を回転させて光ディスク（図示せず）を高速で回転させる際に、メカシャーシ１１自体が大きく振動する。この振動は、メカシャーシ１１とトレイ１３との間に介在されたインシュレータ１９によって抑制される。
【０００７】
ところで、ノートパソコンは一般に、薄型化や小型化のために、放熱用ファンが搭載されていないことが多く、この場合、使用時には、内部機器から発生する熱で装置内部の温度が外部に比して高い温度になる。ノートパソコンでは、このような状況下でも、光ディスクへの記録・再生を支障なく行うことが重要になっている。
【０００８】
図４は、トレイ１３とインシュレータ１９との結合部分を展開して示す斜視図である。トレイ１３上には、ネジ孔２０ａを有するポスト２０が起立状態で設けられている。インシュレータ１９は、中央開口１９ａを有するリング状に形成され、外周に沿って形成された係合溝２３と、上下の面に夫々５個ずつ形成された突起２５とを備える。
【０００９】
また、中央開口１９ａの内面には、６個の半円筒形状の突起２６が形成されている。ポスト２０の外径は、インシュレータ１９の各突起２６の頂部を相互に結んだ円筒の内径とほぼ同じ、或いは、この内径よりも若干大きく形成されている。
【００１０】
図５は、図４に示したポスト２０にインシュレータ１９を嵌合した後の状態を上下反転させてポスト２０を中心に縦断面して示す断面図である。インシュレータ１９が、メカシャーシ１１の各ブラケット部１７に形成された嵌合孔１７ａに係合溝２３を嵌め込まれることにより、メカシャーシ１１に取り付けられている。トレイ１３のポスト２０に、インシュレータ１９の中央開口１９ａを嵌合した状態で、図５の下方からプロテクトカバー１２の突出面２１を当接させる。この際、ポスト２０の外径がインシュレータ１９の各突起２６の頂部を相互に結んだ円筒の内径より大きいので、ポスト２０はインシュレータ１９に対し圧入状態で取り付けられる。この状態で、挿通孔２１ａから挿通した固定ネジ２２をポスト２０のネジ孔２０ａに螺合させる。これにより、インシュレータ１９がポスト２０に堅固に結合する。この処理が他のポスト２０でも同様に行われることで、トレイ１３、インシュレータ１９及びプロテクトカバー１２が順次に重なって結合した状態となる。
【００１１】
上記光ディスク記録・再生装置１０では、記録品質を向上させるため、再生機能のみの装置に比べ、記録時の振動に対処できるように、インシュレータ１９の硬度を高くし、或いは、インシュレータ１９とポスト２０との接触状態を堅固にする等で、振動レベルを可能な限り低減させている。
【００１２】
【発明が解決しようとする課題】
ところで、上記光ディスク記録・再生装置１０は、２０〜２５℃の常温環境下では、発生する振動レベルに十分に対処できるが、４５〜５５℃の高温環境下では、振動レベルを十分に抑制することは難しい。これは、インシュレータ１９では、温度が高くなるほど硬度や減衰係数が小さくなり、また、インシュレータ１９とポスト２０との結合状態が熱膨張で変化することにより、振動の抑制効果が低下するからである。
【００１３】
本発明は、上記に鑑み、高温環境下でも、常温環境下でのインシュレータとポストとの良好な結合状態を維持することによって、振動抑制効果を十分に発揮できる制振構造を備えたディスク装置を提供することを目的とする。
【００１４】
【課題を解決するための手段】
本発明者らは、高温環境下で振動抑制効果が低下する現象は、通常はポリスチレン(ＰＳ)系樹脂とポリフェニレンエーテル(ＰＰＥ)樹脂とのポリマーアロイ(ＰＳ＋ＰＰＥ)等から成るポストの線膨張係数に比して、ブチルゴム等から成るリング状のインシュレータの線膨張係数が大きいことに起因していることに着目した。そして、高温環境下でのポスト外径の変化量よりもインシュレータ中央開口の内径の変化量が大きくなり、中央開口内周の各突起の頂部とポストとの間に隙間が発生することによって振動抑制効果が低下する点を確認し、鋭意研究を重ね、本発明を発明するに至った。
【００１５】
上記目的を達成するために、本発明に係るディスク装置は、装填されたディスクを載置するトレイと、前記ディスクを回転させる回転機構が搭載され前記トレイに結合手段を介して結合されるメカシャーシとを備え、前記結合手段が、前記トレイ及びメカシャーシの何れか一方に設けられたポストと、他方に設けられ前記ポストに嵌合するリング状のインシュレータとを備えるディスク装置において、
前記ポストが、側面から外方に向かって突出する突起を備え、
前記突起が、前記インシュレータとほぼ同じ線膨張係数を有する材料によって構成されることを特徴とする。
【００１６】
本発明に係るディスク装置では、ポストに備えた突起がインシュレータとほぼ同じ線膨張係数を有する材料によって構成されるので、常温環境下で、ポストとインシュレータを圧入状態で取り付けることで、ポスト側面から突出する突起をインシュレータの中央開口内面に強く圧し付けた状態でセットした際に、高温環境下で、インシュレータの中央開口の内径が拡大しても、これに追随してポスト側面の突起が同等の比率で膨張する。これにより、高温環境下でも、インシュレータとポストとの結合状態に変化を発生させず、良好な制振効果を維持することができる。
【００１７】
本発明の好ましいディスク装置では、前記インシュレータ及び前記突起の双方を、エラストマー又はゴム系の粘弾性体によって構成することができる。この場合、良好な制振抑制効果を得ることができる。
【００１８】
本明細書で言う「粘弾性体」は、一部の液体のように粘る性質（粘性）と、バネ等のように弾む性質（弾性）との２つの性質を併せ持つ物質を意味している。
【００１９】
また、前記ポストが、ポスト本体に形成された注入口と、一端が該注入口に連通し且つ他端がポスト側面に開口する空洞部とを備え、前記突起が、前記注入口から空洞部に射出成形で注入された前記粘弾性体によって形成されることが好ましい。この場合、粘弾性体の位置ずれ等を引き起こすことなく、粘弾性体を良好な状態でポストに取り付けることができる。
【００２０】
【発明の実施の形態】
以下、図面を参照し、本発明に係る実施形態例に基づいて本発明を更に詳細に説明する。図１は本発明に係る一実施形態例の光ディスク記録・再生装置におけるトレイ１３及びインシュレータ２９の結合構造を示す斜視図、図２は、図１に示したポスト３１にインシュレータ２９を嵌合した後の状態を上下反転させてポスト３１を中心に縦断面して示す断面図である。本実施形態例の上記結合構造は、図３で説明した光ディスク記録／再生装置１０と同じ形式の光ディスク記録／再生装置に適用される。図１及び図２では、図３に示した要素と共通の要素に同じ符号を付している。
【００２１】
図１に示すように、ブラケット部１７（図２、図３）に取り付けられるインシュレータ２９は、円形状の中央開口２９ａを有するリング状に形成され、外周に沿って設けられた係合溝２３と、上下面に夫々５個ずつ設けられた突起２５とを備えている。インシュレータ２９は、エラストマーやブチルゴム等の粘弾性体によって構成されている。
【００２２】
本実施形態例では、インシュレータ２９の中央開口２９ａ内面は、突起が無い一様な面として形成されている。係合溝２３が、メカシャーシ１１の各ブラケット部１７に形成された嵌合孔１７ａ（図２）に嵌合されることにより、インシュレータ１９がメカシャーシ１１に取り付けられる。突起２５は、インシュレータ２９がトレイ１３とプロテクトカバー１２との間に介在した状態で、トレイ１３及びプロテクトカバー１２（図２）に当接して双方の位置関係を安定させる機能を有する。
【００２３】
トレイ１３上には、ネジ孔３１ａを有するポスト３１が起立状態でトレイ１３と一体に形成されている。トレイ１３及びポスト３１は、ＰＳ＋ＰＰＥ等のエンジニアリングプラスチックによって構成されている。
【００２４】
ポスト３１の側面には、半円筒形状に突出する６個の突起３６が等角度間隔で設けられている。各突起３６は、エラストマーやブチルゴム等、インシュレータ２９と同じ粘弾性体によって構成され、インシュレータ２９と同じ線膨張係数を有している。また、各突起３６の頂部を相互に結んだ際の円筒の外径が、インシュレータ２９の中央開口２９ａの内径とほぼ同じ、或いは、この内径よりも若干大きく形成されている。
【００２５】
図２に示すように、ポスト３１は、ポスト本体（つまり、トレイ１３）に形成された注入口２７と、一端が注入口２７に連通し且つ他端がポスト側面に開口する空洞部３１ｂとを備えている。空洞部３１ｂの開口は、ポスト３１の側面に等角度間隔で６個形成されている。各突起３６は、注入口２７から空洞部３１ｂに射出成形で注入された粘弾性体によって形成されている。
【００２６】
例えば、２色射出成形機を用いて、ポスト３１を一体に有するトレイ１３を射出成形した後に、注入口２７から粘弾性体を注入することにより、各開口から突出した状態で固化した突起３６を形成することができる。或いは、これに代えて、空洞部３１ｂの形状を変更し、別に成形した複数の突起３６を、成形後のトレイ１３の空洞部３１ｂに嵌め込むことも可能である。
【００２７】
トレイ１３のポスト３１にインシュレータ２９を組み付ける際には、図２に示すように、各ブラケット部１７の嵌合孔１７ａに嵌め込んだインシュレータ２９の中央開口２９ａに、トレイ１３のポスト３１を嵌合した状態で、プロテクトカバー１２の突出面２１を当接させる。この際、ポスト３１の各突起３６の頂部を相互に結んだ円筒の外径がインシュレータ２９の内径より大きく、圧入状態で取り付けられるため、側面の各突起３６が、インシュレータ２９の中央開口２９ａ内面に強く圧し付けられる。この状態で、プロテクトカバー１２の挿通孔２１ａから挿通した固定ネジ２２をポスト３１のネジ孔３１ａに螺合させる。これにより、ポスト３１とインシュレータ２９とが堅固に結合する。
【００２８】
本光ディスク記録・再生装置では、高温環境下で使用される際に、温度変化によってインシュレータ２９の内径が熱膨張で拡大しても、ポスト３１に固着された突起３６もインシュレータ２９と同等の比率で熱膨張することによって、ポスト３１側面で各突起３６の頂部を結んだ円筒の外径も拡大する。つまり、高温環境下であっても、インシュレータ２９の内径が拡大する際の隙間を埋めるように、各突起３６が上記円筒の外径を同程度に拡大させるので、インシュレータ２９と突起３６との接触寸法関係が大きく変化することはなく、双方の良好な結合状態が維持できる。
【００２９】
なお、本実施形態例では、突起３６の形状は半円筒状であったが、突起３６はこれに限定されることはなく、インシュレータ２９の内面と接触するのであれば他のどのような形状でもよい。また、メカシャーシ１１側にポスト３１を、トレイ１３側にインシュレータ２９を夫々設けることによっても、本実施形態例と同様の効果を得ることができる。
【００３０】
本実施形態例では、ノートパソコン等に搭載する薄型タイプの光ディスク記録・再生装置に本発明を適用した例を説明したが、これに限らず、デスクトップ型パーソナルコンピュータに搭載されるハーフハイトサイズの光ディスク記録・再生装置に本発明を適用することもできる。
【００３１】
以上、本発明をその好適な実施形態例に基づいて説明したが、本発明に係るディスク装置は、上記実施形態例の構成にのみ限定されるものではなく、上記実施形態例の構成から種々の修正及び変更を施したディスク装置も、本発明に係る範囲に含まれる。
【００３２】
【発明の効果】
以上説明したように、本発明によると、高温環境下でも、常温環境下でのインシュレータとポストとの良好な結合状態を維持することによって、振動抑制効果を十分に発揮できる制振構造を備えたディスク装置を得ることができる。
【図面の簡単な説明】
【図１】本発明に係る一実施形態例の光ディスク記録・再生装置におけるトレイ及びインシュレータの結合構造を示す斜視図である。
【図２】図１の断面図である。
【図３】従来の光ディスク記録・再生装置を展開して示す斜視図である。
【図４】トレイとインシュレータとの結合部分を展開して示す斜視図である。
【図５】トレイのポストにインシュレータを組み付ける際の状態を示す断面図である。
【符号の説明】
１０：光ディスク記録・再生装置
１１：メカシャーシ
１２：プロテクトカバー
１３：トレイ
１５：スピンドルモータ
１６：光ヘッド
１７：ブラケット部
１７ａ：嵌合孔
２０：ポスト
２０ａ：ネジ孔
２１：突出面
２１ａ：挿通孔
２２：固定ネジ
２３：係合溝
２５：突起
２６：突起
２９：インシュレータ
２９ａ：中央開口
３１：ポスト
３１ａ：ネジ孔
３１ｂ：空洞部
３６：突起
【図１】
0003719504.tif 000002
【図２】
0003719504.tif 000003
【図３】
0003719504.tif 000004
【図４】
0003719504.tif 000005
【図５】
0003719504.tif 000006